(57)【特許請求の範囲】
【請求項１】
テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、
前記受信手段により受信されたテレビジョン放送信号に付加された時間情報を記憶する時間情報記憶手段と、
所定の時間を設定する設定手段と、
当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、前記設定手段により設定された所定の時間を上回るか否かを判定する判定手段と、
前記判定手段により、当該テレビジョン放送受信機の電源が遮断されてから再び電源が投入されるまでの時間が、前記設定手段により設定された所定の時間を上回ると判定された場合に、前記取得手段に、新たな放送番組情報を取得させる取得制御手段と、
を備えることを特徴とするテレビジョン放送受信機。
【請求項２】
テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、
前記受信手段により受信されたテレビジョン放送信号に付加された時間情報を記憶する時間情報記憶手段と、
当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、
前記判定手段により、当該テレビジョン放送受信機の電源が遮断されてから再び電源が投入されるまでの時間が、所定の時間を上回ると判定された場合に、前記取得手段に、新たな放送番組情報を取得させる取得制御手段と、
を備えることを特徴とするテレビジョン放送受信機。
【請求項３】
テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、
前記番組情報記憶手段に記憶された放送番組情報から、各チャンネルの最終放送番組のうち、予め設定された最終放送番組の放送時間情報を抽出する抽出手段と、
所定の時間を設定する設定手段と、
当該テレビジョン放送受信機の電源が投入された際に、前記抽出手段により抽出された放送時間情報と、当該テレビジョン放送受信機の電源が投入された直後に前記受信手段により受信されたテレビジョン放送信号に付加された時間情報と、に基づいて、前記番組情報記憶手段に記憶された放送番組情報における未放送の放送番組の放送時間が、前記設定手段により設定された所定の時間を下回るか否かを判定する判定手段と、
前記判定手段により、前記番組情報記憶手段に記憶された放送番組情報における未放送
分の放送番組の放送時間が、前記設定手段により設定された所定の時間を下回ると判定された場合に、前記取得手段に、新たな放送番組情報を取得させる取得制御手段と、
を備えることを特徴とするテレビジョン放送受信機。
【請求項４】
テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、
前記番組情報記憶手段に記憶された放送番組情報から、各チャンネルの最終放送番組のうち、予め設定された最終放送番組の放送時間情報を抽出する抽出手段と、
当該テレビジョン放送受信機の電源が投入された際に、前記抽出手段により抽出された放送時間情報と、当該テレビジョン放送受信機の電源が投入された直後に前記受信手段により受信されたテレビジョン放送信号に付加された時間情報と、に基づいて、前記番組情報記憶手段に記憶された放送番組情報における未放送の放送番組の放送時間が、所定の時間を下回るか否かを判定する判定手段と、
前記判定手段により、前記番組情報記憶手段に記憶された放送番組情報における未放送分の放送番組の放送時間が、所定の時間を下回ると判定された場合に、前記取得手段に、新たな放送番組情報を取得させる取得制御手段と、
を備えることを特徴とするテレビジョン放送受信機。
【発明の詳細な説明】
【技術分野】
【０００１】
本発明は、テレビジョン放送受信機に関する。
【背景技術】
【０００２】
従来、テレビジョン放送受信機により受信可能な放送媒体として、アナログ放送、ＢＳ（Broadcasting Satellite）デジタル放送、ＣＳ（Communication Satellite）デジタル
放送、ケーブル放送などがある。さらに近年では、地上波デジタル放送も加わって、受信可能なチャンネルの数がますます多くなっている。
【０００３】
デジタル放送を提供する放送局などからは、各チャンネルに対応する放送信号（画像データや音声データ）の他に、ＥＰＧ（Electronic Program Guide）情報と呼ばれる放送番組情報も送信されている。そして、デジタル放送用のテレビジョン放送受信機のユーザは、当該テレビジョン放送受信機の表示部に表示される当該ＥＰＧ情報に基づいた番組表によって、多種多様な放送の中から好みに合ったチャンネルを選択することができるようになっている。
【０００４】
ＥＰＧ情報を取得するテレビジョン放送受信機としては、例えば、電源投入直後に、全チャンネルのＥＰＧ情報を取得するテレビジョン放送受信機（例えば、特許文献１参照）、使用履歴に基づく優先順位に従って、取得すべき時間に取得すべきチャンネルのＥＰＧ情報を取得するテレビジョン放送受信機（例えば、特許文献２参照）、ＥＰＧ情報種別や日付に基づいて取得すべきＥＰＧ情報のみを取得するとともに、当該取得すべきＥＰＧ情報を中断なく取得できたか否かを判断するテレビジョン放送受信機（例えば、特許文献３参照）などが提案されている。
【０００５】
また、受信したＥＰＧ情報の取得が完了しなかった場合に、別の受信方法によって当該ＥＰＧ情報を取得するテレビジョン放送受信機（例えば、特許文献４参照）、放送信号を受信するための情報が設定されていない場合に、電源投入時に当該情報の設定を行うための設定画面を表示部に表示するテレビジョン放送受信機（例えば、特許文献５参照）なども提案されている。
【特許文献１】特開２００５−０３３５６７号公報
【特許文献２】特開２００５−０２６８１０号公報
【特許文献３】特許３６０７５７０号公報
【特許文献４】特開２００５−０５１６１３号公報
【特許文献５】特開平１０−０４２２１３号公報
【発明の開示】
【発明が解決しようとする課題】
【０００６】
上述のようなテレビジョン放送受信機においては、取得したＥＰＧ情報を記憶することができるようになっている。また、取得するＥＰＧ情報の量が多いほど、１回のＥＰＧ情報の取得に要する時間が長くなることが知られている。
【０００７】
例えば、特許文献２，３のテレビジョン放送受信機のように、取得すべきＥＰＧ情報のみを取得する場合には、１回のＥＰＧ情報の取得に要する時間を短くすることができる。しかしながら、多種多様な放送の中から好みに合ったチャンネルを選択できるというユーザの特権を制限してしまうと問題がある。
【０００８】
一方、特許文献１のテレビジョン放送受信機のように、電源投入直後に、全チャンネルのＥＰＧ情報を取得する場合には、ユーザは、多種多様な放送の中から好みに合ったチャンネルを選択することができる。しかしながら、電源のＯＮ／ＯＦＦを頻繁に繰り返した場合でも、その都度、ＥＰＧ情報を取得するため、時間をかけてＥＰＧ情報を取得したに
も関わらず、予め記憶していたＥＰＧ情報と内容がほとんど変わらないＥＰＧ情報を取得して記憶することとなって、効率が悪いという問題がある。
【０００９】
本発明の課題は、効率よくＥＰＧ情報を取得することができるテレビジョン放送受信機を提供することにある。
【課題を解決するための手段】
【００１０】
上記課題を解決するために、請求項１に記載の発明は、テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、前記受信手段により受信されたテレビジョン放送信号に付加された時間情報を記憶する時間情報記憶手段と、所定の時間を設定する設定手段と、当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、前記設定手段により設定された所定の時間を上回るか否かを判定する判定手段と、前記判定手段により、当該テレビジョン放送受信機の電源が遮断されてから再び電源が投入されるまでの時間が、前記設定手段により設定された所定の時間を上回ると判定された場合に、前記取得手段に、新たな放送番組情報を取得させる取得制御手段と、を備えることを特徴とする。
【００１１】
請求項２に記載の発明は、テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、前記受信手段により受信されたテレビジョン放送信号に付加された時間情報を記憶する時間情報記憶手段と、当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、前記判定手段により、当該テレビジョン放送受信機の電源が遮断されてから再び電源が投入されるまでの時間が、所定の時間を上回ると判定された場合に、前記取得手段に、新たな放送番組情報を取得させる取得制御手段と、を備えることを特徴とする。
【００１２】
請求項３に記載の発明は、テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、前記番組情報記憶手段に記憶された放送番組情報から、各チャンネルの最終放送番組のうち、予め設定された最終放送番組の放送時間情報を抽出する抽出手段と、所定の時間を設定する設定手段と、当該テレビジョン放送受信機の電源が投入された際に、前記抽出手段により抽出された放送時間情報と、当該テレビジョン放送受信機の電源が投入された直後に前記受信手段により受信されたテレビジョン放送信号に付加された時間情報と、に基づいて、前記番組情報記憶手段に記憶された放送番組情報における未放送の放送番組の放送時間が、前記設定手段により設定された所定の時間を下回るか否かを判定する判定手段と、前記判定手段により、前記番組情報記憶手段に記憶された放送番組情報における未放送分の放送番組の放送時間が、前記設定手段により設定された所定の時間を下回ると判定された場合に、前記取得手段に、新たな放送番
組情報を取得させる取得制御手段と、を備えることを特徴とする。
【００１３】
請求項４に記載の発明は、テレビジョン放送波から時間情報が付加されたテレビジョン放送信号を受信する受信手段と、当該テレビジョン放送波から放送番組情報を取得する取得手段と、前記取得手段により取得された放送番組情報を記憶する番組情報記憶手段と、を備えるテレビジョン放送受信機において、前記番組情報記憶手段に記憶された放送番組情報から、各チャンネルの最終放送番組のうち、予め設定された最終放送番組の放送時間情報を抽出する抽出手段と、当該テレビジョン放送受信機の電源が投入された際に、前記抽出手段により抽出された放送時間情報と、当該テレビジョン放送受信機の電源が投入された直後に前記受信手段により受信されたテレビジョン放送信号に付加された時間情報と、に基づいて、前記番組情報記憶手段に記憶された放送番組情報における未放送の放送番組の放送時間が、所定の時間を下回るか否かを判定する判定手段と、前記判定手段により、前記番組情報記憶手段に記憶された放送番組情報における未放送分の放送番組の放送時間が、所定の時間を下回ると判定された場合に、前記取得手段に、新たな放送番組情報を取得させる取得制御手段と、を備えることを特徴とする。
【発明の効果】
【００１４】
請求項１に記載の発明によれば、取得制御手段によって、判定手段により、テレビジョン放送受信機の電源が投入された際に、テレビジョン放送受信機の電源が遮断されてから再び電源が投入されるまでの時間が、設定手段により設定された所定の時間を上回ると判定された場合にのみ、取得手段に、新たな放送番組情報を取得させることができる。
【００１５】
したがって、テレビジョン放送受信機の電源が遮断されていた時間が長く、その結果、テレビジョン放送受信機の電源が投入された時点で、番組情報記憶手段に記憶された未放送分の放送番組情報が少ない場合、或いは番組情報記憶手段に記憶された未放送分の放送番組情報がない場合にのみ、放送番組情報を取得するため、効率よく放送番組情報を取得することができる。
【００１６】
また、ユーザは、所定の時間を設定することによって、番組情報記憶手段に記憶された未放送分の放送番組情報の量を設定することができることとなって、快適に、放送番組情報を閲覧したり、当該放送番組情報から好みに合ったチャンネルを選択することができる。
【００１７】
請求項２に記載の発明によれば、取得制御手段によって、判定手段により、テレビジョン放送受信機の電源が投入された際に、テレビジョン放送受信機の電源が遮断されてから再び電源が投入されるまでの時間が、所定の時間を上回ると判定された場合にのみ、取得手段に、新たな放送番組情報を取得させることができる。
【００１８】
したがって、テレビジョン放送受信機の電源が遮断されていた時間が長く、その結果、テレビジョン放送受信機の電源が投入された時点で、番組情報記憶手段に記憶された未放送分の放送番組情報が少ない場合、或いは番組情報記憶手段に記憶された未放送分の放送番組情報がない場合にのみ、放送番組情報を取得するため、効率よく放送番組情報を取得することができる。
【００１９】
請求項３に記載の発明によれば、取得制御手段によって、判定手段により、テレビジョン放送受信機の電源が投入された際に、番組情報記憶手段に記憶された放送番組情報における未放送分の放送番組の放送時間が、設定手段により設定された所定の時間を下回ると判定された場合にのみ、取得手段に、新たな放送番組情報を取得させることができる。
【００２０】
したがって、テレビジョン放送受信機の電源が遮断されていた時間が長く、その結果、テレビジョン放送受信機の電源が投入された時点で、番組情報記憶手段に記憶された未放送分の放送番組情報が少ない場合、或いは番組情報記憶手段に記憶された未放送分の放送番組情報がない場合にのみ、放送番組情報を取得するため、効率よく放送番組情報を取得することができる。
【００２１】
また、ユーザは、所定の時間を設定することによって、番組情報記憶手段に記憶された未放送分の放送番組情報の量を設定することができることとなって、快適に、放送番組情報を閲覧したり、当該放送番組情報から好みに合ったチャンネルを選択することができる。
【００２２】
請求項４に記載の発明によれば、取得制御手段によって、判定手段により、テレビジョン放送受信機の電源が投入された際に、番組情報記憶手段に記憶された放送番組情報における未放送分の放送番組の放送時間が、所定の時間を下回ると判定された場合にのみ、取得手段に、新たな放送番組情報を取得させることができる。
【００２３】
したがって、テレビジョン放送受信機の電源が遮断されていた時間が長く、その結果、テレビジョン放送受信機の電源が投入された時点で、番組情報記憶手段に記憶された未放送分の放送番組情報が少ない場合、或いは番組情報記憶手段に記憶された未放送分の放送番組情報がない場合にのみ、放送番組情報を取得するため、効率よく放送番組情報を取得することができる。
【発明を実施するための最良の形態】
【００２４】
以下、図を参照して、本発明にかかるテレビジョン放送受信機の最良の形態を詳細に説明する。なお、発明の範囲は、図示例に限定されない。
[第１の実施の形態]
まず、第１の実施の形態におけるテレビジョン放送受信機１０について説明する。
＜テレビジョン放送受信機の構成＞
まず、テレビジョン放送受信機１０の構成について、図１を参照して説明する。
【００２５】
テレビジョン放送受信機１０は、例えば、図１に示すように、アンテナ１１１を有するチューナ１１と、復調器１２と、ＴＳ（Transport Stream）デコーダ１３と、音声デコーダ１４と、音声デコーダ１４に接続される音声出力部１４１と、画像デコーダ１５と、画像デコーダ１５に接続される画像表示部１５１と、ＣＰＵ（Central Processing Unit）
１６と、ＲＡＭ（Random Access Memory）１７ａと、不揮発性メモリ１７ｂと、記憶部１７ｃと、リモコン受信部１８と、リモコン受信部１８と通信可能なテレビジョン放送受信機１０用のリモートコントローラ１８１（以下、「リモコン１８１」という。）と、などを備えて構成される。チューナ１１と、復調器１２と、ＴＳデコーダ１３と、音声デコーダ１４と、画像デコーダ１５と、ＣＰＵ１６と、ＲＡＭ１７ａと、不揮発性メモリ１７ｂと、記憶部１７ｃと、リモコン受信部１８とは、各々バスＢによって接続されている。
【００２６】
チューナ１１は、アンテナ１１１を有しており、チューナ１１とアンテナ部１１１とによって、受信手段及び取得手段を構成する。
【００２７】
具体的には、チューナ１１及びアンテナ１１１は、例えば、受信手段として、テレビジョン放送波から時間情報が付加されたテレビジョン放送信号を受信する。より具体的には、チューナ１１は、ＣＰＵ１６からの指示に従って、例えば、アンテナ１１１により受信されるデジタル方式のテレビジョン放送波の中から、ユーザ所望の放送番組のチャンネルに対応する周波数帯域に存在するテレビジョン放送信号を受信し、当該受信したテレビジョン放送信号を中間周波信号（ＩＦ信号）に変調して出力する。
【００２８】
また、チューナ１１及びアンテナ１１１は、例えば、取得手段として、テレビジョン放送波から放送番組情報としてのＥＰＧ情報を取得する。より具体的には、チューナ１１は、ＣＰＵ１６からの指示に従って、アンテナ１１１により受信されるテレビジョン放送波の中から、ＥＰＧ情報（圧縮ＥＰＧ情報）を取得して出力する。なお、チューナ１１によって取得されるＥＰＧ情報は、例えば、アンテナ１１１を有するチューナ１１によって受信可能な全てのチャンネルに関するＥＰＧ情報であるとする。
【００２９】
復調器１２は、例えば、ＣＰＵ１６からの指示に従って、チューナ１１から出力されたＩＦ信号に対してデジタル復調や誤り訂正などの処理を実行し、ストリーム（例えば、トランスポートストリーム）を出力する。
【００３０】
ＴＳデコーダ１３は、例えば、ＣＰＵ１６からの指示に従って、復調器１２から出力されたトランスポートストリームを解読して当該トランスポートストリームを構成する各トランスポートパケットを判別し、ユーザ所望の放送番組に関連するトランスポートパケットにかかるデータを、圧縮画像データと、圧縮音声データと、時間情報と、などに分離して出力する。
【００３１】
音声デコーダ１４は、例えば、ＣＰＵ１６からの指示に従って、ＴＳデコーダ１３から出力された圧縮音声データをデコードし、音声出力部１４１に出力する。
【００３２】
音声出力部１４１は、例えば、図示しないスピーカなどを備え、音声デコーダ１４から出力された音声データに基づいて音声の出力を行う。
【００３３】
画像デコーダ１５は、例えば、ＣＰＵ１６からの指示に従って、ＴＳデコーダ１３から出力された圧縮画像データをデコードし、画像表示部１５１に出力する。
【００３４】
また、画像デコーダ１５は、例えば、ＣＰＵ１６からの指示に従って、チューナ１１から出力されたＥＰＧ情報（圧縮ＥＰＧ情報）をデコードし、画像表示部１５１に出力する。
【００３５】
画像表示部１５１は、例えば、図示しない液晶方式などの表示画面を備え、画像デコーダ１５から出力された画像データやＥＰＧ情報などに基づいて画像の出力を行う。
【００３６】
ＣＰＵ１６は、記憶部１７ｃに記憶されたテレビジョン放送受信機１０用の各種処理プログラムに従って、各種の制御動作を行う。
【００３７】
ＲＡＭ１７ａは、ＣＰＵ１６によって実行される処理プログラムなどを展開するためのプログラム格納領域や、入力データや上記処理プログラムが実行される際に生じる処理結果などを格納するデータ格納領域などを備える。
【００３８】
不揮発性メモリ１７ｂは、少なくともデータ書き換えが可能なフラッシュメモリなどから構成される。
【００３９】
具体的には、不揮発性メモリ１７ｂは、例えば、図１に示すように、上限時間情報記憶領域１７ｂ１と、時間情報記憶領域１７ｂ２と、ＥＰＧ情報記憶領域１７ｂ３と、などを有する。
【００４０】
上限時間情報記憶領域１７ｂ１は、リモコン１８１により設定された所定の時間としての上限時間に関する上限時間情報を記憶する。ここで、上限時間情報とは、判定プログラム１７ｃ１を実行したＣＰＵ１６（後述）により使用される情報である。
【００４１】
具体的には、リモコン受信部１８が、リモコン１８１からユーザによるリモコン１８１の操作により設定された上限時間に関する信号を受信して、当該信号に基づく上限時間情報を出力すると、ＣＰＵ１６は、当該出力された上限時間情報を上限時間情報記憶領域１７ｂ１に記憶させる。
【００４２】
なお、リモコン１８１により設定される度に、上限時間情報記憶領域１７ｂ１に記憶される上限時間情報は更新されることとする。
【００４３】
時間情報記憶領域１７ｂ２は、時間情報記憶手段として、チューナ１１により受信されたテレビジョン放送信号に付加された時間情報を記憶する。
【００４４】
具体的には、ＣＰＵ１６の指示に従って、チューナ１１により受信されたテレビジョン放送信号から分離された時間情報が復調器１２を介してＴＳデコーダ１３から出力されると、ＣＰＵ１６は、当該出力された時間情報を時間情報記憶領域１７ｂ２に記憶させる。
【００４５】
より具体的には、ＣＰＵ１６は、例えば、チューナ１１により受信されたテレビジョン放送信号のＳＴＴ（System Time Table）から分離された現在の時間情報を、時間情報記
憶領域１７ｂ２に記憶させる。
【００４６】
なお、時間情報記憶領域１７ｂ２に記憶される時間情報は、逐次、更新されることとする。
【００４７】
ＥＰＧ情報記憶領域１７ｂ３は、番組情報記憶手段として、チューナ１１により取得されたＥＰＧ番組情報を記憶する。
【００４８】
具体的には、ＣＰＵ１６からの指示に従って、チューナ１１がＥＰＧ情報を取得して出力すると、ＣＰＵ１６は、当該出力されたＥＰＧ情報をＥＰＧ情報記憶領域１７ｂ３に記憶させる。また、定期的に送信されてくるＥＰＧ情報をチューナ１１が取得して出力すると、ＣＰＵ１６は、当該出力されたＥＰＧ情報をＥＰＧ情報記憶領域１７ｂ３に記憶させる。
【００４９】
なお、チューナ１１によりＥＰＧ情報が取得される度に、ＥＰＧ情報記憶領域１７ｂ３に記憶されるＥＰＧ情報は更新されることとする。
【００５０】
記憶部１７ｃは、テレビジョン放送受信機１０で実行可能なシステムプログラム、当該システムプログラムで実行可能な各種処理プログラム、これら各種処理プログラムを実行する際に使用されるデータ、ＣＰＵ１６によって演算処理された各種結果のデータなどを記憶する。なお、プログラムは、コンピュータが読み取り可能なプログラムコードの形で記憶部１７ｃに記憶されている。
【００５１】
具体的には、記憶部１７ｃは、例えば、図１に示すように、判定プログラム１７ｃ１と、取得制御プログラム１７ｃ２と、などを記憶している。
【００５２】
判定プログラム１７ｃ１は、ＣＰＵ１６に、テレビジョン放送受信機１０の電源が投入された際に、テレビジョン放送受信機１０の電源が遮断される直前に不揮発性メモリ１７ｂの時間情報記憶領域１７ｂ２に記憶された時間情報と、テレビジョン放送受信機１０の電源が投入された直後にチューナ１１により受信されたテレビジョン放送信号に付加された時間情報と、に基づいて、テレビジョン放送受信機１０の電源が遮断されてから再び電源が投入されるまでの時間が、リモコン１８１により設定された上限時間を上回るか否かを判定する機能を実現させる。
【００５３】
具体的には、リモコン１８１により設定された上限時間とは、不揮発性メモリ１７ｂの上限時間情報記憶領域１７ｂ１に記憶された上限時間情報に基づく上限時間である。
【００５４】
ここで、「テレビジョン放送受信機１０の電源が遮断される」とは、例えば、テレビジョン放送受信機１０の電源スイッチ（図示省略）が押圧されたことによって、テレビジョン放送受信機１０の電源が遮断されること、或いはテレビジョン放送受信機１０の電源コード（図示省略）に設けられたプラグ（図示省略）がコンセント（図示省略）から抜けたことによって、テレビジョン放送受信機１０の電源が遮断されることをいう。
【００５５】
また、「テレビジョン放送受信機１０の電源が投入される」とは、例えば、テレビジョン放送受信機１０の電源コード（図示省略）に設けられたプラグ（図示省略）がコンセント（図示省略）に差し込まれ、テレビジョン放送受信機１０の電源スイッチ（図示省略）が押圧されたことによって、テレビジョン放送受信機１０の電源が投入されることをいう。
【００５６】
ＣＰＵ１６は、かかる判定プログラム１７ｃ１を実行することによって、判定手段として機能する。
【００５７】
取得制御プログラム１７ｃ２は、ＣＰＵ１６に、判定プログラム１７ｃ１を実行したＣ
ＰＵ１６により、テレビジョン放送受信機１０の電源が遮断されてから再び電源が投入されるまでの時間が、リモコン１８１により設定された上限時間を上回ると判定された場合に、チューナ１１に、新たなＥＰＧ情報を取得させる機能を実現させる。
【００５８】
ＣＰＵ１６は、かかる取得制御プログラム１７ｃ２を実行することによって、取得制御手段として機能する。
【００５９】
リモコン受信部１８は、例えば、リモコン１８１から送信された各種信号を受信し、当該各種信号に基づく情報を出力する。
【００６０】
具体的には、リモコン１８１は、設定手段として、ユーザが上限時間を設定する際に使用され、リモコン受信部１８は、リモコン１８１から、ユーザにより設定された上限時間に関する信号を受信すると、当該受信した信号に基づく上限時間情報を出力する。
＜ＥＰＧ情報取得処理＞
次に、テレビジョン放送受信機１０における、電源が投入された際のＥＰＧ情報の取得に関する処理について、図２のフローチャートを参照して説明する。
【００６１】
ここで、前提として、テレビジョン放送受信機１０の電源は遮断されていることとする。
【００６２】
まず、テレビジョン放送受信機１０の電源が投入されると（ステップＳ１１）、ＣＰＵ１６は、復調器１２及びＴＳデコーダ１３を介して、チューナ１１が受信したテレビジョン放送信号から、当該テレビジョン放送信号に付加された時間情報を取得する（ステップＳ１２）。
【００６３】
次いで、ＣＰＵ１６は、不揮発性メモリ１７ｂの時間情報記憶領域１７ｂ２から、時間情報を取得する（ステップＳ１３）。
【００６４】
具体的には、ステップＳ１３では、テレビジョン放送受信機１０の電源が遮断される直前に時間情報記憶領域１７ｂ２に記憶された時間情報が取得されることとなる。
【００６５】
次いで、ＣＰＵ１６は、不揮発性メモリ１７ｂの上限時間情報記憶領域１７ｂ１から、上限時間情報を取得する（ステップＳ１４）。
【００６６】
具体的には、ステップＳ１４では、予め、ユーザによるリモコン１８１の操作により設定されて、上限時間情報記憶領域１７ｂ１に記憶された上限時間情報が取得されることとなる。
【００６７】
次いで、ＣＰＵ１６は、判定プログラム１７ｃ１を実行して、ステップＳ１３で取得した時間情報と、ステップＳ１２で取得した時間情報と、に基づいて、テレビジョン放送受信機１０の電源が遮断されてから再び電源が投入されるまでの時間（電源遮断時間）が、ステップＳ１４で取得した上限時間情報に基づく上限時間を上回るか否かを判定する（ステップＳ１５）。
【００６８】
ステップＳ１５で、電源遮断時間が上限時間を上回らないと判定すると（ステップＳ１５；Ｎｏ）、ＣＰＵ１６は、本処理を終了する。
【００６９】
一方、ステップＳ１５で、電源遮断時間が上限時間を上回ると判定すると（ステップＳ１５；Ｙｅｓ）、ＣＰＵ１６は、取得制御プログラム１７ｃ２を実行して、チューナ１１に、新たなＥＰＧ情報を取得させる（ステップＳ１６）。
【００７０】
次いで、ＣＰＵ１６は、ステップＳ１６で取得させた新たなＥＰＧ情報を、不揮発性メモリ１７ｂのＥＰＧ情報記憶領域１７ｂ３に記憶させ（ステップＳ１７）、本処理を終了する。
【００７１】
以上説明した第１の実施の形態におけるテレビジョン放送受信機１０によれば、チューナ１１によって、テレビジョン放送波から時間情報が付加されたテレビジョン放送信号を受信するとともに、テレビジョン放送波からＥＰＧ情報を取得することができ、不揮発性メモリ１７ｂのＥＰＧ情報記憶領域１７ｂ３によって、チューナ１１により取得されたＥＰＧ情報を記憶することができる。そして、不揮発性メモリ１７ｂの時間情報記憶領域１７ｂ２によって、チューナ１１により受信されたテレビジョン放送信号に付加された時間情報を記憶することができ、ユーザによるリモコン１８１の操作によって、上限時間を設定することができ、判定プログラム１７ｃ１を実行したＣＰＵ１６によって、テレビジョン放送受信機１０の電源が投入された際に、テレビジョン放送受信機１０の電源が遮断される直前に時間情報記憶領域１７ｂ２に記憶された時間情報と、テレビジョン放送受信機１０の電源が投入された直後にチューナ１１により受信されたテレビジョン放送信号に付加された時間情報と、に基づいて、テレビジョン放送受信機１０の電源が遮断されてから再び電源が投入されるまでの時間が、ユーザによるリモコン１８１の操作により設定された上限時間を上回るか否かを判定することができ、取得制御プログラム１７ｃ２を実行したＣＰＵ１６によって、判定プログラム１７ｃ１を実行したＣＰＵ１６により、テレビジョン放送受信機１０の電源が遮断されてから再び電源が投入されるまでの時間が、ユーザによるリモコン１８１の操作により設定された上限時間を上回ると判定された場合に、チューナ１１に、新たなＥＰＧ情報を取得させることができる。
【００７２】
したがって、テレビジョン放送受信機１０の電源が遮断されていた時間が長く、その結果、テレビジョン放送受信機１０の電源が投入された時点で、ＥＰＧ情報記憶領域１７ｂ３に記憶された未放送分のＥＰＧ情報が少ない場合、或いはＥＰＧ情報記憶領域１７ｂ３に記憶された未放送分のＥＰＧ情報がない場合にのみ、ＥＰＧ情報を取得するため、効率よくＥＰＧ情報を取得することができる。
【００７３】
また、ユーザは、上限時間を設定することによって、ＥＰＧ情報記憶領域１７ｂ３に記憶された未放送分のＥＰＧ情報の量を設定することができることとなって、快適に、ＥＰＧ情報を閲覧したり、当該ＥＰＧ情報から好みに合ったチャンネルを選択することができる。
[第２の実施の形態]
次に、第２の実施の形態におけるテレビジョン放送受信機３０について説明する。
＜テレビジョン放送受信機の構成＞
まず、テレビジョン放送受信機３０の構成について、図３を参照して説明する。
【００７４】
なお、第２の実施の形態のテレビジョン放送受信機３０は、新たなＥＰＧ情報を取得すべきと判定するための判定条件のみが第１の実施の形態のテレビジョン放送受信機１０（図１）と異なる。具体的には、テレビジョン放送受信機１０（図１）における不揮発性メモリ１７ｂの構成の一部、記憶部１７ｃの構成の一部及びリモコン１８１の構成の一部が異なる。したがって、異なる箇所のみについて説明し、その他の共通する部分は同一符号を付して説明する。
【００７５】
テレビジョン放送受信機３０は、例えば、図３に示すように、アンテナ１１１を有するチューナ１１と、復調器１２と、ＴＳデコーダ１３と、音声デコーダ１４と、音声デコーダ１４に接続される音声出力部１４１と、画像デコーダ１５と、画像デコーダ１５に接続される画像表示部１５１と、ＣＰＵ１６と、ＲＡＭ１７ａと、不揮発性メモリ３７ｂと、記憶部３７ｃと、リモコン受信部１８と、リモコン受信部１８と通信可能なテレビジョン放送受信機３０用のリモートコントローラ３８１（以下、「リモコン３８１」という。）と、などを備えて構成される。
【００７６】
不揮発性メモリ３７ｂは、具体的には、例えば、図３に示すように、下限時間情報記憶
領域３７ｂ１と、ＥＰＧ情報記憶領域１７ｂ３と、などを有する。
【００７７】
下限時間情報記憶領域３７ｂ１は、リモコン３８１により設定された所定の時間としての下限時間に関する下限時間情報を記憶する。ここで、下限時間情報とは、判定プログラム３７ｃ２を実行したＣＰＵ１６（後述）により使用される情報である。
【００７８】
具体的には、リモコン受信部１８が、リモコン３８１からユーザによるリモコン３８１の操作により設定された下限時間に関する信号を受信して、当該信号に基づく下限時間情報を出力すると、ＣＰＵ１６は、当該出力された下限時間情報を下限時間情報記憶領域３７ｂ１に記憶させる。
【００７９】
なお、リモコン３８１により設定される度に、下限時間情報記憶領域３７ｂ１に記憶される下限時間情報は更新されることとする。
【００８０】
記憶部３７ｃは、具体的には、例えば、図３に示すように、抽出プログラム３７ｃ１と、判定プログラム３７ｃ２と、取得制御プログラム３７ｃ３と、などを記憶している。
【００８１】
抽出プログラム３７ｃ１は、ＣＰＵ１６に、不揮発性メモリ３７ｂのＥＰＧ情報記憶領域１７ｂ３に記憶されたＥＧＰ情報から、各チャンネルの最終放送番組のうち、予め設定された最終放送番組の放送時間情報を抽出する機能を実現させる。
【００８２】
具体的には、ＥＰＧ情報記憶領域１７ｂ３に、例えば、図４に示すようなＥＰＧ情報、すなわち、チャンネル「１２３ｃｈ」、「１２４ｃｈ」及び「１２５ｃｈ」、放送時間「２００５年１月１日  ００：００」〜「２００５年１月７日  ２４：００」に含まれる放送番組「Ａ」、「Ｂ」、…、「Ｙ」、「Ｚ」が記憶されているとする。ここで、図４に示すＥＰＧ情報記憶領域１７ｂ３においては、チャンネル「１２３ｃｈ」の最終放送番組「Ｘ」の放送時間は「２００５年１月７日  ２１：００〜２４：００」であり、チャンネル「１２４ｃｈ」の最終放送番組「Ｙ」の放送時間は「２００５年１月７日  ２１：３０〜２３：００」であり、チャンネル「１２５ｃｈ」の最終放送番組「Ｚ」の放送時間は「２００５年１月７日  ２２：００〜２３：４０」である。
【００８３】
ＣＰＵ１６が抽出プログラム３７ｃ１を実行すると、図４に示すＥＰＧ情報記憶領域１７ｂ３に記憶されたＥＰＧ情報から、各チャンネル（「１２３ｃｈ」、「１２４ｃｈ」、「１２５ｃｈ」）の最終放送番組（「Ｘ」、「Ｙ」、「Ｚ」）のうち、予め設定された最終放送番組の放送時間情報、例えば、最も早く終了する最終放送番組（「Ｙ」）の放送時間情報（「２００５年１月７日  ２１：３０〜２３：００」）のうちの放送開始時間情報「２００５年１月７日  ２１：３０」を抽出する。
【００８４】
ＣＰＵ１６は、かかる抽出プログラム３７ｃ１を実行することによって、抽出手段として機能する。
【００８５】
判定プログラム３７ｃ２は、ＣＰＵ１６に、テレビジョン放送受信機３０の電源が投入された際に、抽出プログラム３７ｃ１を実行したＣＰＵ１６により抽出された放送時間情報と、テレビジョン放送受信機３０の電源が投入された直後にチューナ１１により受信されたテレビジョン放送信号に付加された時間情報と、に基づいて、不揮発性メモリ３７ｂのＥＰＧ情報記憶領域１７ｂ３に記憶されたＥＰＧ情報における未放送の放送番組の放送時間が、リモコン３８１により設定された下限時間を下回るか否かを判定する機能を実現させる。
【００８６】
具体的には、リモコン３８１により設定された下限時間とは、不揮発性メモリ３７ｂの下限時間情報記憶領域３７ｂ１に記憶された下限時間情報に基づく下限時間である。
【００８７】
より具体的には、下限時間情報記憶領域３７ｂ１に記憶された下限時間情報に基づく下限時間が「４８時間」であり、抽出プログラム３７ｃ１を実行したＣＰＵ１６により抽出された予め設定された最終放送番組の放送時間情報（例えば、最も早く終了する最終放送番組の放送時間情報のうちの放送開始時間情報）が「２００５年１月７日  ２１：３０」であり、テレビジョン放送受信機３０の電源が投入された直後にチューナ１１により受信
されたテレビジョン放送信号に付加された時間情報が「２００５年１月７日  １２：００」であるとすると、不揮発性メモリ３７ｂのＥＰＧ情報記憶領域１７ｂ３に記憶されたＥＰＧ情報における未放送分の放送番組の放送時間は「９時間３０分」となるため、ＣＰＵ１６は、判定プログラム３７ｃ２を実行して、下限時間（「４８時間」）を下回ると判定する。
【００８８】
ここで、「テレビジョン放送受信機３０の電源が遮断される」及び「テレビジョン放送受信機３０の電源が投入される」とは、それぞれ「テレビジョン放送受信機１０の電源が遮断される」及び「テレビジョン放送受信機１０の電源が投入される」と同義である。
【００８９】
ＣＰＵ１６は、かかる判定プログラム３７ｃ２を実行することによって、判定手段として機能する。
【００９０】
取得制御プログラム３７ｃ３は、ＣＰＵ１６に、判定プログラム３７ｃ２を実行したＣＰＵ１６により、不揮発性メモリ３７ｂのＥＰＧ情報記憶領域１７ｂ３に記憶されたＥＰＧ情報における未放送分の放送番組の放送時間が、リモコン３８１により設定された下限時間を下回ると判定された場合に、チューナ１１に、新たなＥＰＧ情報を取得させる機能を実現させる。
【００９１】
ＣＰＵ１６は、かかる取得制御プログラム３７ｃ３を実行することによって、取得制御手段として機能する。
【００９２】
リモコン受信部１８は、例えば、リモコン３８１から送信された各種信号を受信し、当該各種信号に基づく情報を出力する。
【００９３】
具体的には、リモコン３８１は、設定手段として、ユーザが下限時間を設定する際に使用され、リモコン受信部１８は、リモコン３８１から、ユーザにより設定された下限時間情報に関する信号を受信すると、当該受信した信号に基づく下限時間情報を出力する。
＜ＥＰＧ情報取得処理＞
次に、テレビジョン放送受信機３０における、電源が投入された際のＥＰＧ情報の取得に関する処理について、図５のフローチャートを参照して説明する。
【００９４】
ここで、前提として、テレビジョン放送受信機３０の電源は遮断されていることとする。
【００９５】
まず、テレビジョン放送受信機３０の電源が投入されると（ステップＳ３１）、ＣＰＵ１６は、復調器１２及びＴＳデコーダ１３を介して、チューナ１１が受信したテレビジョン放送信号から、当該テレビジョン放送信号に付加された時間情報を取得する（ステップＳ３２）。
【００９６】
次いで、ＣＰＵ１６は、抽出プログラム３７ｃ１を実行して、不揮発性メモリ３７ｂのＥＰＧ情報記憶領域１７ｂ３に記憶されたＥＰＧ情報から、各チャンネルの最終放送番組のうち、予め設定された最終放送番組の放送時間情報を抽出する（ステップＳ３３）。
【００９７】
次いで、ＣＰＵ１６は、不揮発性メモリ３７ｂの下限時間情報記憶領域３７ｂ１から、下限時間情報を取得する（ステップＳ３４）。
【００９８】
具体的には、ステップＳ３４では、予め、ユーザによるリモコン３８１の操作により設定されて、下限時間情報記憶領域３７ｂ１に記憶された下限時間情報が取得されることとなる。
【００９９】
次いで、ＣＰＵ１６は、判定プログラム３７ｃ２を実行して、ステップＳ３３で抽出した放送時間情報と、ステップＳ３２で取得した時間情報と、に基づいて、不揮発性メモリ３７ｂのＥＰＧ情報記憶領域１７ｂ３に記憶されたＥＰＧ情報における未放送の放送番組の放送時間（ＥＰＧ情報の残り時間）が、ステップＳ３４で取得した下限時間情報に基づ
く下限時間を下回るか否かを判定する（ステップＳ３５）。
【０１００】
ステップＳ３５で、ＥＰＧ情報の残り時間が下限時間を下回らないと判定すると（ステップＳ３５；Ｎｏ）、ＣＰＵ１６は、本処理を終了する。
【０１０１】
一方、ステップＳ３５で、ＥＰＧ情報の残り時間が下限時間を下回ると判定すると（ステップＳ３５；Ｙｅｓ）、ＣＰＵ１６は、取得制御プログラム３７ｃ３を実行して、チューナ１１に、新たなＥＰＧ情報を取得させる（ステップＳ３６）。
【０１０２】
次いで、ＣＰＵ１６は、ステップＳ３６で取得させた新たなＥＰＧ情報を、不揮発性メモリ３７ｂのＥＰＧ情報記憶領域１７ｂ３に記憶させ（ステップＳ３７）、本処理を終了する。
【０１０３】
以上説明した第２の実施の形態におけるテレビジョン放送受信機３０によれば、チューナ１１によって、テレビジョン放送波から時間情報が付加されたテレビジョン放送信号を受信するとともに、テレビジョン放送波からＥＰＧ情報を取得することができ、不揮発性メモリ３７ｂのＥＰＧ情報記憶領域１７ｂ３によって、チューナ１１により取得されたＥＰＧ情報を記憶することができる。そして、抽出プログラム３７ｃ１を実行したＣＰＵ１６によって、ＥＰＧ情報記憶領域１７ｂ３に記憶されたＥＰＧ情報から、各チャンネルの最終放送番組のうち、予め設定された最終放送番組の放送時間情報（例えば、最も早く終了する最終放送番組の放送時間情報のうちの放送開始時間情報）を抽出することができ、ユーザによるリモコン３８１によって、下限時間を設定することができ、判定プログラム３７ｃ２を実行したＣＰＵ１６によって、テレビジョン放送受信機３０の電源が投入された際に、抽出プログラム３７ｃ１を実行したＣＰＵ１６により抽出された放送時間情報と、テレビジョン放送受信機３０の電源が投入された直後にチューナ１１により受信されたテレビジョン放送信号に付加された時間情報と、に基づいて、ＥＰＧ情報記憶領域１７ｂ３に記憶されたＥＰＧ情報における未放送の放送番組の放送時間が、ユーザによるリモコン３８１の操作により設定された下限時間を下回るか否かを判定することができ、取得制御プログラム３７ｃ３を実行したＣＰＵ１６によって、判定プログラム３７ｃ２を実行したＣＰＵ１６により、ＥＰＧ情報記憶領域１７ｂ３に記憶されたＥＰＧ情報における未放送分の放送番組の放送時間が、ユーザによるリモコン３８１の操作により設定された下限時間を下回ると判定された場合に、チューナ１１に、新たなＥＰＧ情報を取得させることができる。
【０１０４】
したがって、テレビジョン放送受信機３０の電源が遮断されていた時間が長く、その結果、テレビジョン放送受信機３０の電源が投入された時点で、ＥＰＧ情報記憶領域１７ｂ３に記憶された未放送分のＥＰＧ情報が少ない場合、或いはＥＰＧ情報記憶領域１７ｂ３に記憶された未放送分のＥＰＧ情報がない場合にのみ、ＥＰＧ情報を取得するため、効率よくＥＰＧ情報を取得することができる。
【０１０５】
また、ユーザは、下限時間を設定することによって、ＥＰＧ情報記憶領域１７ｂ３に記憶された未放送分のＥＰＧ情報の量を設定することができることとなって、快適に、ＥＰＧ情報を閲覧したり、当該ＥＰＧ情報から好みに合ったチャンネルを選択することができる。
【０１０６】
なお、本発明は、上記した実施の形態のものに限るものではなく、その要旨を逸脱しない範囲で適宜変更可能である。
【０１０７】
第１の実施の形態においては上限時間を、第２の実施の形態においては下限時間を、ユーザによるリモコン（リモコン１８１又はリモコン３８１）の操作によって設定するようにしたが、この限りでなく、例えば、テレビジョン放送受信機（テレビジョン放送受信機１０又はテレビジョン放送受信機３０）に予め記憶されていてもよい。
【０１０８】
第２の実施の形態において、予め設定された最終放送番組の放送時間情報を、例えば、最も早く終了する最終放送番組の放送時間情報のうちの放送開始時間情報としたが、この限りではなく、例えば、最終放送番組は最も遅く終了する最終放送番組であってもよいし、放送時間情報は放送終了時間情報であってもよい。また、この最終放送番組の放送時間情報の設定は、予めテレビジョン放送受信機３０に設定されていてもよいし、ユーザによるリモコン３８１の操作によって設定されてもよい。
【図面の簡単な説明】
【０１０９】
【図１】第１の実施の形態におけるテレビジョン放送受信機の機能的構成を示すブロック図である。
【図２】第１の実施の形態におけるテレビジョン放送受信機における、電源が投入された際のＥＰＧ情報の取得に関する処理を説明するためのフローチャートである。
【図３】第２の実施の形態におけるテレビジョン放送受信機の機能的構成を示すブロック図である。
【図４】図３に示したＥＰＧ情報記憶領域に記憶されたＥＰＧ情報を示す図である。
【図５】第２の実施の形態におけるテレビジョン放送受信機における、電源が投入された際のＥＰＧ情報の取得に関する処理を説明するためのフローチャートである。
【符号の説明】
【０１１０】
１０，３０  テレビジョン放送受信機
１１  チューナ（受信手段、取得手段）
１１１  アンテナ（受信手段、取得手段）
１６  ＣＰＵ（判定手段、取得制御手段、抽出手段）
１７ｂ２  時間情報記憶領域（時間情報記憶手段）
１７ｂ３  ＥＰＧ情報記憶領域（番組情報記憶領域）
１７ｃ１，３７ｃ２  判定プログラム（判定手段）
１７ｃ２，３７ｃ３  取得制御プログラム（取得制御手段）
３７ｃ１  抽出プログラム（抽出手段）
１８１，３８１  リモコン（設定手段）
【図１】
0004543260.tif 000002
【図２】
0004543260.tif 000003
【図３】
0004543260.tif 000004
【図４】
0004543260.tif 000005
【図５】
0004543260.tif 000006